(57)【要約】  コンパクト化を確実に実現し、周波数１０．７〜１２．７５ＧＨｚの範囲で、しかも、高いアンテナ効率（ＡＥ）で最小の厚みを達成した進歩的機器を提供している。技術成果として、少なくとも２個のフィードと、少なくとも２個の副反射器でアンテナを実現している。各副反射器の外形表面が、フィードの指向性パターン中心ビームを上記主反射器の縁部に確実に反射させ、横方向のビームを確実に主反射器の中心部に反射させるようになっており、上記副反射器の隣接表面が部分的に切り出されている。
2012509001.tif 000002
【特許請求の範囲】
【請求項１】
１個の主反射器と、少なくとも２個のフィードと、少なくとも２個の副反射器とから成り、上記の各副反射器は、対応するフィードからの電波を上記主反射器に反射させるように構成されているアンテナであって、上記各副反射器の外形表面がフィードの指向パターンにおける中心ビームを、上記主反射器の縁部に確実に反射させ、横方向のビームを、確実に上記主反射器の中心部に反射させるようになっており、上記副反射器の隣接表面が部分的に切り出されていることを特徴とするアンテナ。
【請求項２】
共通カバーが導入されており、そのカバーは上記主反射器の周辺平面部に装着され、上記副反射器が上記カバーに固定されていることを特徴とする請求項１に記載のアンテナ。
【請求項３】
上記フィードがホーン形状に作製されていることを特徴とする請求項１に記載のアンテナ。
【請求項４】
上記ホーンの隣接壁が連結されていることを特徴とする請求項３に記載のアンテナ。
【請求項５】
上記のフィードとそれに対応する副反射器が、主反射器の長さ方向の軸に対して傾斜していることを特徴とする請求項１に記載のアンテナ。
【請求項６】
上記フィードの長さ方向の軸が、各副反射器の長さ方向の軸に対して傾斜している角度よりも大きな角度で、主反射器の長さ方向の軸に対して傾斜していることを特徴とする請求項５に記載のアンテナ。
【請求項７】
上記副反射器の隣接表面が、その副反射器の平面を２分割するように切り離されており、その平面が副反射器に対して傾斜している角度の半分の角度で、上記主反射器の長さ方向の軸に対して傾斜していることを特徴とする請求項５に記載のアンテナ。
【請求項８】
上記副反射器の隣接表面が連結されていることを特徴とする請求項１に記載のアンテナ。
【請求項９】
上記副反射器の隣接表面間に隙間があることを特徴とする請求項１に記載のアンテナ。
【請求項１０】
上記主反射器が回転体として作製されていることを特徴とする請求項１に記載のアンテナ。
【請求項１１】
上記主反射器の母面形状が放物線であることを特徴とする請求項１０に記載のアンテナ。
【請求項１２】
上記副反射器が回転体として作製されていることを特徴とする請求項１に記載のアンテナ。
【請求項１３】
上記副反射器の母面形状が楕円形であることを特徴とする請求項１２に記載のアンテナ。
【請求項１４】
上記副反射器の母面形状は双曲線であることを特徴とする請求項１３に記載のアンテナ。
【請求項１５】
上記副反射器の最大直径ｄと上記主反射器の開口部の直径Ｄとの比率Ｉ＝ｄ/Ｄが、０．１＜Ｉ＜０．２の範囲内に設定されていることを特徴とする請求項１０および１２に記載のアンテナ。
【請求項１６】
１個の主反射器、１個のフィード、少なくとも２個の副反射器から成り、上記各副反射器が上記フィードからの電波を上記主反射器に再反射させ、フィード電波波面を上記主反射器から反射された平面波に変換するようになっているアンテナであって、上記各副反射器の外形表面が、フィードの指向性パターン中心ビームを上記主反射器の縁部に確実に反射させ、横方向のビームを確実に上記主反射器の中心部に反射させるようになっており、上記副反射器の隣接表面が部分的に切り出されていることを特徴とするアンテナ。
【発明の詳細な説明】
【技術分野】
【０００１】
本発明は、衛星テレビアンテナとして使用することのできるアンテナおよびフィーダ機器に関する。
【背景技術】
【０００２】
パラボラ反射器アンテナは、以下のような、多くの理由により、衛星テレビアンテナとして広く使用されている。
・低コスト
・広帯域の動作周波数
・異なった極性の電波でも扱いやすい
・比較的高い開口効率（ＡＥ)（通常６０乃至６５％）
パラボラアンテナは主反射器から成り、その表面が３次元空間での軌道に沿っての放物線状の動きに対応したものである。このような種類の反射器で最も一般的なものは、放物曲面の頂点と焦点とを通過する軸の回りを、母面が放物線状に回転するタイプのものである。パラボラアンテナのフィードが放物線の焦点の位置に配置されている。１つの主要最大値を有する指向性パターンが放物線の軸の方向に形成される。この型のパラボラアンテナの欠点は、単一ビームが使用されて、しかも、アンテナサイズが大きいという特徴があることである。
【０００３】
アンテナのサイズが大きいと、以下の欠点が発生する。
・大きなアンテナを屋外に設置すると、ビルの建築学的イメージをゆがめてしまう。特に、ヨーロッパでは、パラボラアンテナをビルの壁や屋根に設置することを法的に規制している国もある。
・パラボラアンテナは移動運搬手段においては、ほとんど使用されておらず、特に、確実な信号の受信が必要な移動中の車、列車、船などには使用されてない。
・大きなパラボラアンテナがバルコニーの近くや窓に固定されると、光を過剰にさえぎってしまうことになる。
【０００４】
このような状況であるために、衛星テレビ信号を受信でき、極めて小さい寸法のもので、複数の衛星から同時に信号を確実に受信できる、コンパクト型の多重ビームアンテナの開発が必要となっている。
【０００５】
ところで、デュアル反射器型のアンテナはパラボラ反射器型アンテナに比べると、よりコンパクトである。
【０００６】
デュアル反射器型のアンテナの場合は、フィードからの球状に近い電波の波面を、大きな反射器からの電波の平面波に変換する１個の主反射器から成るシングル反射器型パラボラアンテナの場合と違って、一個の大型の（主）反射器と一個の小型（補助または副）反射器から構成されている。デュアル反射器型のアンテナにも同様の機能があり、フィードからの球状に近い電波の波面を、主反射器からの電波の平面波に変換する機能がある。しかし、設計の自由度を広げて追加機能を備えるようにすれば、つまり、副反射器の個数を追加すれば、電波波面の変換がより適切に実行され、アンテナ特性の電気的は問題、寸法的な問題が解決可能となる。ところで、デュアル反射器型のアンテナにも異なる型のものが存在し、即ち、カセグレン型のアンテナとグレゴリー型のアンテナという異なっ型のアンテナがある。この２つは、フィードから副反射器を経て主反射器に向かう電波のレイトレーシング機能の点で違いがある。カセグレン型のアンテナでは、フィード電波波面の中心部ビームが主反射器の中心部に到達し、フィード電波波面の横部分ビームが主反射器の横部分に到達するようになっている。
【０００７】
ＡＤＥ（axially displaced ellipse 軸方向変位楕円型）アンテナはすでに知られている（英国特許第９７３５８３号、１９６４年公開）。このアンテナは、１個の主反射器と、１個の副反射器と、１個のフィードから成る。この主反射器と副反射器は、共通の回転軸を有する回転体として構成されている。その回転軸が、軸０ｚである。主反射器の母面は放物線状である。重要なことは放物線上の焦点が回転軸上にはないことである。副反射器の母面形状は任意でよい。楕円形の母面を持つ副反射器の１つの例が英国特許第９７３５８３号に開示されている。技術的解決策として、楕円母面と放物線上の焦点の配置を以下のようにする方法がある。つまり、一方の楕円焦点を放物線上の焦点に合わせ、他方の楕円焦点を回転軸上に置くことである。
【０００８】
母面として放物線曲面と楕円曲面を使用したアンテナ（例えば、上記のＡＤＥシステム）とは別に、ビームパス反転機能（反転レイトレーシング機能）を有する他のアンテナも存在する。反射器アンテナのフィード電波は、限定された空間内の点（フィードフェーズ中心点）から放射されるビーム量の合計として表される。反転レイトレーシング機能を有するシステムにおいて、放射中心部から伝搬されるフィード電波は、副反射器により反射されて主反射器の周縁部に向かい、放射部の周縁部から伝搬されたフィード電波は、副反射器により反射されて主反射器の中心部に向かう。ここで、反射器の主要な特性は維持されることになる。つまり、フィード電波は主反射器の開口部から伝搬された端部の電波の平面波に変換される。ビームパス反転機能を有するアンテナ母面の積極的合成法については、従来技術としてよく知られていることである。この波面合成は、フィードの指向性パターンを作成して、フィードフェーズ中心、反射器表面のスタート点（例えば、中心ビーム）を設定することで実現できる。中心から角座標に沿って動かすことにより、ビームパス長の均等化の条件により、ビームパス反転機能を有するアンテナの表面形状が得られることになる。このようなアンテナでは、ＡＤＥシステムに類似した「放物線ー楕円」から成るペアの代わりに、母面ペアが使えるのである。
【０００９】
フランス特許第２２９６３９７号（２００６年公開）には、放物線状母面を有する主反射器と楕円母面を有する副反射器で構成され、円と、主反射器に面し、その円と主反射器との間に配置された頂点とを有しているアンテナが開示されている。そのフィードは、主反射器放物線状表面と副反射器との間の、主反射器台の長さ方向の対称軸上に配置されている。これが、最小のアンテナ厚さで最大の利得要素を得るために最適化された従来型のＡＤＥアンテナである。最小のアンテナ厚さが、上記のフランス特許で決定された主反射器の反射器パラメータ間の特別な比率（０．２乃至０．２５のＨ／Ｄ比率、ここで、Ｈはアンテナ厚さ、Ｄは主反射器の直径）を使うことで得られた。
【００１０】
衛星テレビシステム用に設計された、上記の１個のフィードを使ったシングル反射器とデュアル反射器の唯一の難点は、シングルメインビームを使うことである。
【００１１】
アンテナには、例えば、円形などの形をした導波路のような電波の入力部があり、その指向性パターンには、回転軸に沿って発生する狭いメインローブが見られる。このアンテナは、主に、指向性パターンでのメインローブに対応する角度で信号を受信（送信）する構成となっている。そこで、アンテナの方向を回したり形状を変更したりせずに、多様な方向からの信号を同時受信または同時送信する多重型の機能が要求されるのである。このような要求は、例えば、衛星テレビ信号を受信する際に起こる。この状況は、いくつかの衛星が同時に異なった方位角（つまり、静止軌道での全衛星の高度ベアリングは等しい）で動作する時に典型的に起こる。従って、形状を変えたり、あるいは、機械的な位置の変更したりせずに、いくつかの衛星からの信号を同時に受信できるアンテナであれば、衛星テレビ信号受信の能力が拡大させ、特に、１つのアンテナで多数のチャネルを見ることができるので、情報取り扱い用量が増加することになる。
【００１２】
次に、多重ビームパラボラアンテナには、シングルビームパラボラアンテナに比べてさらに追加の大きい能力がある。この多重ビームアンテナは数個のフィードを備え、各フィードを焦点の近くに設置している。この場合、数個の指向性パターン（ビーム）が異なった方向に形成され、その１つ１つがフィードに関係している。この型のアンテナの長所は、数個のアンテナが多重ビーム特性を有し、信号を多様な方向から主反射器に同時に送受信し、あるいは、信号を主反射器から多様な方向に同時に送信し、複数のメインローブから成る複雑な形状の指向性パターンを作成する能力を有していることである。特に、この後者の能力が衛星ベースの送信アンテナでは広く活用されている。
【００１３】
特に、衛星テレビシステムに利用される多重ビームアンテナがフランス特許第２１７３４９６（２００１年公開）に開示されている。このアンテナはデュアル反射器レイアウト設計に従って構成されている。このアンテナの母面は放射線状であり、副反射器の母面は楕円形状であり、反射器の表面は、メインローブ方向に直角な軸の回りを母面が空間的に回転する結果として形成される。放射源は空間焦点カーブに配置されている。
【００１４】
この開示アンテナの欠点は、寸法が大きいことである。この欠点は、反射器が長焦点である時だけ高いアンテナ効果が得られるという事実に関係がある。光学システムの特質は、通常、パラボラ主反射器の焦点距離Ｆと、その反射器の直径Ｄまたはその他の寸法に対する比率により決まる。
【００１５】
指向性利得（ＤＧ）やサイドローブのレベルなどのアンテナ特性の向上のために、アンテナ形状が、オフセットレイアウトに従って設計され、カセグレン型デュアル反射器の場合と同様に、フィードと副反射器から成るシステムを主反射器のフィードとして利用している。進歩的なパラボラアンテナを実現するための最も有望な技術的解決は、衛星信号送信用のオフセットアンテナシステム（日本特許第４０６８８０３号）の開発であり、このシステムは、回転放物面を切り出すようになっている主反射器に、複数のホーンからの信号放射がなされ、それに対応する複数の部分指向性（ＤＰ）パターンが多様な方向に形成されるようになっている。この部分的指向性パターンの改良のために、各ホーンには１個または２個の追加的副反射器を配置している。
【００１６】
上記で説明した従来アンテナの欠点は、サイズが大きいことであるが、その原因は、焦点長さと直径の比率Ｆ/Ｄが大きいこと，部分指向性（ＤＰ)パターンでのメインローブ間の角距離が小さいこと、開口効率（ＡＥ)が比較的低いこと,フィードと副反射器との間にブロックが存在することである。
【発明の概要】
【００１７】
本発明の目的は、最小の厚さを有するコンパクト型（つまり、アンテナ厚みＨとその寸法Ｄとの比率が最小）多重ビーム反射器アンテナを提供することである。
【００１８】
この進歩的アンテナを使用する時に得られる技術的成果は、周波数範囲が１０．７乃至１２．７５  ＧＨｚで、高いアンテナ開口効率を維持しながら同時にコンパクト化を実現しているアンテナ特性を獲得できたことである。
【００１９】
上記の目的と技術的成果を達成するために、既存のアンテナとは異なる本発明の進歩的アンテナは、１個の主反射器と、少なくとも２個のフィードと、少なくとも２個の副反射器とから成り、上記の各副反射器は、対応するフィードからの電波を上記主反射器に反射させるように構成されているアンテナであって、上記各副反射器の外形表面がフィードの指向パターン中心ビームを、上記主反射器の縁部に確実に反射させ、横方向のビームを確実に上記主反射器の中心部に反射させるようになっており、上記副反射器の隣接表面が部分的に切り出されたことを特徴としている。
【００２０】
上記の進歩的発明機器の追加の実施形態では、
・共通カバーが導入されており、そのカバーは上記主反射器の周辺平面部に装着され、上記副反射器が上記カバーに固定されており、
・上記フィードがホーン形状に作製されており、
・上記ホーンの隣接壁が連結（接触）されており、
・上記のフィードとそれに対応する副反射器が主反射器の長さ方向の軸に対して傾斜しており、
・上記フィードの長さ方向の軸が、各副反射器の長さ方向の軸に対して傾斜している角度よりも大きな角度で、主反射器の長さ方向の軸に対して傾斜しており、
・上記副反射器の隣接表面が、その副反射器の平面を２分割するように切り離されており、その平面が、副反射器に対して傾斜している角度の半分の角度で上記主反射器の長さ方向の軸に対して傾斜しており、
・上記副反射器の隣接表面が連結（接触）して、単一の要素として構成されており、
・上記副反射器の隣接表面間に隙間があり、
・上記主反射器が回転体として作製されており、
・上記主反射器の母面形状が放物線であり、
・上記副反射器が回転体として作製されており、
・上記副反射器の母面形状が楕円形であり、
・上記副反射器の母面形状は双曲線であり、
・上記副反射器の最大直径ｄと上記主反射器の開口部の直径Ｄとの比率Ｉ＝ｄ/Ｄが、「０．１＜Ｉ＜０．２」の範囲内に設定されていることを特徴とする（図１）。
【００２１】
このように、クレームされた技術は、衛星信号伝送のための多重ビームシステムであって、各副反射器の外形表面が、フィード平面波（指向性パターン）の中心ビームを上記主反射器の横部に確実に反射させ、フィード平面波の横方向ビームを確実に上記主反射器の中心部に反射させるようになっている。利得要素とメインローブの位置設定するために、主反射器の幾何学的位置、副反射器の幾何学的位置、主反射器に対する副反射器の位置を選択して、中心位置から傾斜しているビームの最大アンテナ開口率を達成するようになっている。
【図面の簡単な説明】
【００２２】
【図１】進歩性を有するアンテナの模式図である。
【図２】図１と同様、上記アンテナの別の実施形態である。
【図３】図１と同様、上記アンテナの第３の実施形態である。
【図４】１個のフィードと１個の副反射器を使ったＡＤＥシステムのビームパスを示した図である。
【図５】デュアル反射器アンテナシステムの平面対称と軸対称による事前設定振幅分布のチャートを示した図である。
【図６】フィードホーンと副反射器の相対位置を模式的に示したチャートである。
【図７】副反射器の切り出しを模式的に示したチャートである。
【図８】図１と対応する副反射器の切り出しを示したチャートである。
【図９】図１と対応する副反射器の切り出しを示したチャートである。
【図１０】図２と図９のアンテナ構造の上面図である。
【図１１】図１０のアンテナ構造の側面図である。
【図１２】多重ビームアンテナシステムの主反射器と副反射器の母面を模式的に示した図である。
【図１３】ホーンと副反射器とから成る中心ペアの特徴点の座標を示した図である。
【図１４】ホーンと副反射器とから成る横方向ペアの特徴点の座標を示した図である。
【図１５】図２、１０、１１の多重ビームアンテナの部分的指向性パターンを示した図である。
【発明を実施するための形態】
【００２３】
上記で述べた本発明の特徴と長所を、添付図面を参照して好ましい実施形態の形で説明する。
【００２４】
図１乃至図３に示されているアンテナは、主反射器１と、少なくとも２個のフィード２と、少なくとも２個の副反射器３とで構成されている。各副反射器３は、対応フィード２からの電波を主反射器１で再反射させ、さらに、フィード２からの電波の波面を、主反射器１から反射された電波の平面波に変換することができるように設計されている(図４）。
【００２５】
主反射器１は、おもに放物線状母面を有する回転体として作製されている。各副反射器３には外部表面部があり、これにより、フィード２からの指向性パターンの中心ビームを主反射器１の横部分へ確実に反射させ、横向きビームを主反射器１の中心部に確実に反射させるようになっている。副反射器３の隣接表面部は、部分的に切り出しがなされ離されている。
【００２６】
共通カバー４を追加してもよいが、その場合には、そのカバー４を、主反射器１の縁部の平面に設置し、そのカバー４に副反射器３を固定する（図１）。
【００２７】
フィード２は、特に、ホーン形状になるように作製してもよい（図１乃至３）。
【００２８】
各ホーンの隣接壁が互いに連結された状態としてもよいが（図３）、その場合には、その連結（接触）する壁方向でのホーン壁の厚さを減らすことが必要となる。
【００２９】
フィード２と、そのそれぞれに対応する副反射器３の長手方向の軸を、主反射器１の長手方向の軸に対して傾斜した状態にしてもよい(図２）。
【００３０】
上記フィード２の長手方向の軸の、主反射器１の長手方向軸に対する傾斜角は、対応する副反射器３の長手方向の軸の主反射器１の長手方向軸の傾斜角よりは大きく、その角度は、図２に示すようにβである（図２）。
【００３１】
上記副反射器３の隣接表面部は、その平面部を二分割するように頂点で切り離されており、その切り離し面は、主反射器１の長手方向の軸に対して傾斜しており、その傾斜角は、副反射器３の傾斜角βの半分の角度γである(図２）。
【００３２】
上記副反射器３の隣接表面間は連結されていてもよい（図１、２）。
【００３３】
上記副反射器３の隣接表面の間に隙間５があってもよい（図３）。
【００３４】
上記主反射器１と副反射器３は、回転体として作製してもよい（図１乃至３）。
【００３５】
上記主反射器１の母面形状は、放物線であってもよい。
【００３６】
上記副反射器３の母面形状は、楕円または双曲線であってよい。
【００３７】
上記副反射器３の最大直径ｄと主反射器１の開口部の直径Ｄとの比率Ｉ＝ｄ/Ｄは、０.１＜Ｉ＜０.２の範囲から選択する（図１）。
【００３８】
技術説明を分かりやすくするために、本発明のなかの少なくとも２個のフィードと、少なくとも２個の対応する副反射器だけを例として取り上げて記載する。
【００３９】
但し、本発明には、一個のフィードと少なくとも２個の副反射器が含まれている。例えば、最も近い衛星からの多重信号を受信（送信）する場合には、副反射器の各頂点部を衛星に近い位置になるように設定することで、各副反射器は、その対応する１個の共通フィードからの電波の波面を主反射器に再反射させ、その共通フィードからの電波を主反射器から反射された電波の平面波に変換することができるように設計されている。
【００４０】
コンパクト型多重ビーム反射器アンテナ（図１乃至３）は、以下のように動作する。
【００４１】
本発明の特徴の１つは、各副反射器３が外部表面形状を有し、それにより、フィード２からの指向性パターンの中心ビームを、主反射器の横方向エリアに確実に反射させ、横方向のビームを主反射器１の中心に確実に反射させるようになっていることである(図４）。この特長は、従来のＡＤＥアンテナにも取り入れられているが（英国特許第９７３５８３号、１９６４年公開；フランス特許第２２９６３９７号、２００６年公開）、それらのアンテナには、１個のフィードと１個の副反射器３のみが使用されているだけである。
【００４２】
このアンテナ構造が、多重ビームアンテナシステムを構成する場合に最適の構造であり、その理由は以下の通りである。
【００４３】
１．フィード２がアンテナの中心部に設置されており（図１乃至３）、主反射器１の開口面ブロックとなっている。ＡＤＥシステム内の電力（フィード２により放射される）の主要部分が主放射器１の縁部に向かうので、上記のブロックの影響を減少させる。
【００４４】
２．軸対称のシステム内の分散焦点が円形焦点となる。指向性パターンにおけるメインローブの利得の損失速度が、ローブ位置が中心位置からずれている場合には、集中焦点のカセグレン型アンテナに比べて遅いので、「フィードと副反射器」がペアを形成した形で、Ｚ軸に直角な方向に移動し、その結果として、この多重ビームアンテナシステムの走査特性が改善されることになる。
【００４５】
３．上記円形焦点がアンテナの主反射器１の直径を増加させ、それにより、Ｚ軸に沿ったコンパクト化（つまり、Ｈ／Ｄ係数）を進行させる。
【００４６】
本発明のアンテナを動作させて、その特性を研究している際に、本アンテナの走査特性を発見した（多分、業界での初めての発見であろう）。「フィード２と副反射器３」がペアの形で、ＡＤＥアンテナ対称軸に直角の方向に移動している時、指向性パターンの方向が元の位置に対しての最大の傾斜をすることが分かった。そのような移動の際しては、主反射器１の放物曲面の円形焦点に対して、副反射器３の円形焦点が、ある一定の値まで、大きく移動するにもかかわらず、開口効率（ＡＥ）の重要な低下は見られなかった。「フィード２と副反射器３」から成る２つ以上のペアを、主反射器１の前面に配置することにより、アンテナの多重ビーム特性が達成され、そのようなペアの１つ１つが、主反射器１と一緒になって、事前に設定してある方向への部分的な指向性パターンを提供することになる。
【００４７】
ここで、点Ｑ（θ、０）を副反射器３を照射する最初の電波のためのフィード２の位置とし(図５）、点Ａ（θ、ｒ（θ））を副反射器３上の最初の電波ビームの反射点とし、点Ｂを主反射器１上のビームの反射点とする。点Ｑ（θ、０）からのビームは、デュアル反射器により、事前に設定した反射法則ｘ（θ）（つまり、最初の電波ビームと最後の電波ビームとの間の対応則）に従い、平面波に変換される。
【００４８】
パラメータフォームｘ＝ｘ（θ）およびｚ＝ｚ（θ）（ここでｘ、θ、ｚは図５に示している）に従って、主反射器１におけるビーム反射点Ｂの座標を探すことを試みる。光路長Ｓ＝ＱＡ＋ＡＢ＋ＢＣ、ここで、ＱＡ、ＡＢ、ＢＣは、それぞれ対応する点の間の距離である。
【００４９】
副反射器３の座標を求める解法（この中には、ｘ（θ）の一重積分を含む）は、以下の数式で与えられる。
2012509001.tif 000003
ここで、
2012509001.tif 000004
上式（１）において、ｒ（θ）は、副反射器３の表面の動径ベクトル、ｒ０  とｒ（θ０）は、動径ベクトルと角度の既設定の初期値、その他の表記は、式内の補助の変数と記号である。
【００５０】
主反射器１の座標を求める式は以下の通り。
2012509001.tif 000005
上記の式（１）と（２）は、論文にて発表されている[Bodulinsky V.K., Kinber
B.Ye., Romanova V.I. "Generatices of Dual-reflector antennas",
Radiotechnika 110 Electronika, 1985, No. 10, p.1914 - 1918]。
【００５１】
球面波を平面波に変換する特別なケースでは、以下の反射の法則の式が適用される。つまり、
2012509001.tif 000006
この式において、ｈは、主反射器の垂直開口の大きさを特徴づけているパラメータであり、この時は、副反射器の形状は、双曲線状または楕円であり、上記のパラメータを組み合わせた以下のような式により特徴づけられる。
2012509001.tif 000007
例えば、ex > 1の場合には、副反射器は双曲線形状であり、ex < 1の場合には、楕円形状である。ex>1の場合がカセグレン型のシステムに対応しており、ex < 1の場合がグレゴリー型のシステムに対応している。主反射器１は常に放物線状である。
【００５２】
反射法則の式x(θ)が第（３）式の内容と異なっていれば、式（１）と（２）を使うことで得られるデュアル反射器アンテナシステムの母面形状は、上記で述べたものとは異なっており、主反射器１が放物線状ではなく、副反射器３は双曲線状でも楕円状でもない。反射法則の式x(θ)が、アンテナ指向性パターンでの必要特性（例えば、最大利得要素、サイドローブの最少レベル、アンテナ指向性パターンとしての必要な形状など、あるいは、いくつかのパラメータの組み合わせの中で最適のもの）を基にして決定されることは当業者には理解できることである。
【００５３】
「フィード２と副反射器３」から成るいくつかのペアを、以下のような手順で、アンテナ内に配置する。
【００５４】
まず最初に、フィード２と副反射器３から成るペアの回転軸への直角の移動については、主反射器１の回転軸に対しての指向性パターンにおける移動のための任意の値を計算する必要があり、もし必要であれば、最大の開口効率（ＡＥ）の値を得る目的で、副反射器３の幾何学的パラメータおよびフィーダ２と副反射器３の空間的位置を調整することになる（図６）。そのあとに、「フィード２と副反射器３」から成るペアを同時に主反射器１の開口部に配置する必要がある。ここで、ある技術的条件下では、フィード２と副反射器３の空間的な重なりが起きるかもしれない。計算されたアンテナシステムを実現するために、副反射器３とフィード２（ホーン）の表面の切り出しが必要である。この意味は、２つの隣接する副反射器３の重なっている表面の断片を選択して、現実の構造にあてはめることにより、アンテナパラメータが部分的な指向性パターンを最大の状態に保てるようにすることが大切である。このような場合、副反射器３（またはフィードホーン２）の横方向部分を切り出して（図１乃至３、６、７）、それらの表面を連結された状態にしているので、この副反射器３が物理的に組み合わされて１個の固体を構成しているか（図１，２）、あるいは、別個の状態になっているかどうかは重要でない（図３）。
【００５５】
副反射器３の横方向部分は、様々な事前の状態の元、別々の方法で切り落とされている。当初の事前の状態として、例えば、部分的な指向性パターンに対しての最大のＡＥ（開口効率）を選択してもよいし、等しい値のＡＥを選択してもよい。副反射器３の表面部を連結している間に上記の作業を達成するために、副反射器３の隣接表面を試作的に平面で切り取り、アンテナの特定の特性を計算する。副反射器３の隣接表面が、必ずしも、互いに接触された状態にする必要はなく、隣接表面間に小さい隙間があってもよく、その隙間がアンテナ動作に影響を与えることはない（図３）ことは当業者に理解できることである。
【００５６】
副反射器３が平面により切り取られた場合（図７）、副反射器３が組み合わされた表面には急激な凹凸が発生して副反射器３の反射面の特性に負の影響を与えることはありうる。このような悪影響を減らすために、副反射器３の組み合わせ表面を最大限に滑らかで平坦であるようにする方法で副反射器３の切り出しを行う。このような場合、類似の副反射器３を選択して、その副反射器の位置は、主反射器１が、その回転Ｚ軸にある点の回りを回転することよる移動の結果として選択されるものであり、中心にある副反射器３と横にある副反射器３の縁部を平面で切り取り、その平面状の部分が、その回転点を通り、副反射器３間の角度で２分割されるような状態にする。
【００５７】
さらに、副反射器３の横部分を切り取る場合、平面状でなくても、事前の状態を基準にして、副反射器３の湾曲表面部（円錐、円筒、任意の形状の表面）を切り取ってもよいことは当業者に理解できることである。
【００５８】
部分指向性パターンのメインローブを事前に傾斜（例えば、中心位置から±９°）させるための、「フィード２と副反射器３」から成るペアの位置は、そのフィード２と副反射器３から成るペアをＺ軸に対して直角方向に移動させることで見つかった。上記のアンテナ配置では、標準的なホーンを互いに近い位置に配置することは不可能である。これらのホーンの外側壁部をそぎ取る必要がある。ホーン内部の開口部の直径には変化がない。
【００５９】
ホーンの切り出しは多様な方法で実現できる。この切り出しは、ホーンの外側壁部で実施するが、その場合、ホーンの内部穴部までは切り出しを進めてはならないが、外壁部ではなく、ホーンの内部穴部そのものを切り出してもよい。ホーン内部穴部まで切り出す場合には、ホーンを組み合わせている場合であり、組み合わせ型のフィードが得られる（図１、３）。
【００６０】
フィード２の長手方向の軸およびフィード２に対応する副反射器３を主反射器の長手方向軸に傾斜させる場合には、ホーンを切り出す必要はない（図２、９）。「フィード２と副反射器３」から成るペアをＺ軸、および、そのあとに続く回転部に直角に移動させることにより、部分ＤＰ指向性パターンのメインローブを事前に傾斜（例えば、中心位置から±９°）させる場合の、「フィード２と副反射器３」から成るペアの位置を見つけた。本発明の配置では、標準ホーンを互いに近い位置に配置することが可能で、従って、ホーンの外部壁をそぎ落とす必要はない。±１０ｄＢのレベルにおいて、２Δ９＝６５°と等しいＤＰ厚を有する標準ホーン型フィードを使用する（ここで、９は、ＤＰフィードの半分の長さである）。
【００６１】
この場合、部分指向性パターンに対する多重ビームアンテナの利得要素は、図１および８に示された多様な配置に対する利得要素に比べて増加する。
【００６２】
主反射器１と副反射器３の幾何学的パラメータ、および、当初と追加の移転および回転の値は、事前に設定されている利得値と、フィード２の追加ビーム傾斜角と、パラメータから決定される。
【００６３】
部分ＤＰのメインローブ（中心位置から±９°）の事前設定を変更するために、上記の「フィード２と副反射器３」から成るペア（図２）をＺ軸に直角に移動させ、その後回転させた。フィード２の標準ホーンはそれぞれ近くに配置される。
【００６４】
結果において、フィード２の長さ方向軸が、主反射器の長さ方向軸にそれぞれ対応する副反射器３の長さ方向軸の傾斜角βより大きい角αで傾斜しており、さらに、副反射器３の隣接表面が、その平面を２分割するように切り離されており、つまり、主に、副反射器３に対する傾斜角度βの半分の角度で、主反射器１の長さ方向軸に傾いている平面により２分割されるように、切り出さられており、副反射器３の最大直径ｄと主反射器１の直径Ｄとの間の比率Ｉ＝ｄ/Ｄを０．１＜１＜０．２の範囲内に設定している（図１で示された配置に類似）アンテナが得られた（図２、１０、１１）。
【００６５】
主反射器１の母面（図１２）は、点Ｆ１に中心のある放物線状の断片であり、この母面は、その頂点において、寸法ｘ＝Ｄ／２により制限を受けており、その底部においては、寸法ｘ＝ｄｘにより制限を受けている。副反射器３は、楕円形の表面断片であり、点Ｆ１とＦ２に焦点があり、楕円偏心は０．７２２８である。この楕円表面は、その頂点において、寸法ｘ＝ｄｘにより制限をうけ、その底部において、寸法ｘ＝０により制限を受けている。
【００６６】
Ｄ＝７００ｍｍ；ｆ＝１４６ｍｍ、ｄｚ＝４３．３３、ｄｘ＝４５．６５ｍｍ、ｅｘ＝０．７２２８。代表的な寸法値は表１に示した通りである。
【００６７】
【表１】
2012509001.tif 000008
主反射器１と副反射器３の軸方向対称表面は、上記の母面をＺ軸を中心にして回転させることで作製される。
【００６８】
フィード２が標準的なホーン形状になるように作製されている場合の、「フィード２と副反射器３」から成るペアの代表的な座標点（図１３）が表２に示されている。
【００６９】
【表２】
2012509001.tif 000009
「フィード２と副反射器３」から成る横方向ペアの代表的座標（図１４）が表３に示されている。
【００７０】
【表３】
2012509001.tif 000010
ホーン（半径＝２７．００ｍｍ）と副反射器３（半径Ｒ＝４５．６５ｍｍ）の座標は、簡単な方法で選択されるようになっており、表４に示されている。
【００７１】
【表４】
2012509001.tif 000011
副反射器３をＰ１５（図１４）の点で切り取り、その平面部を２分割するように、すなわち、その平面部を軸方向に、副反射器３に対する傾斜角の半分の角度（つまり、４．４７°＝８．９３°/２の角度）で傾斜させる。
【００７２】
この種類のアンテナの部分ＤＰは、中心部分ＤＰに対して左右９°の位置になるように配置する（図１５）。部分ＤＰの多重ビームアンテナ（図２）の利得は、図１で示された多様な配置例での利得よりも大きく増加している。
【００７３】
アンテナに関する上記記載の追加として、１個のフィードと、少なくとも２個の副反射器が主反射器に含まれている発明も、本発明の範囲に入ることを理解すべきである。
【００７４】
上記の実施例が、本発明のすべての構造的実施をカバーしているものでなく、この発明の本質は、添付クレームの独立クレームで特徴づけられているは当業者に理解できることである
【産業上の利用可能性】
【００７５】
本発明の進歩性のあるコンパクト型多重ビーム反射器アンテナは、産業的利用可能性があり、特に衛星テレビアンテナとして有用である。
【図１】
2012509001.tif 000012
【図２】
2012509001.tif 000013
【図３】
2012509001.tif 000014
【図４】
2012509001.tif 000015
【図５】
2012509001.tif 000016
【図６】
2012509001.tif 000017
【図７】
2012509001.tif 000018
【図８】
2012509001.tif 000019
【図９】
2012509001.tif 000020
【図１０】
2012509001.tif 000021
【図１１】
2012509001.tif 000022
【図１２】
2012509001.tif 000023
【図１３】
2012509001.tif 000024
【図１４】
2012509001.tif 000025
【図１５】
2012509001.tif 000026
【国際調査報告】
2012509001.tif 000027
2012509001.tif 000028
2012509001.tif 000029